(57)【要約】【課題】防犯上比較的重要でない屋外の防犯センサの異常感知があったときには威嚇ができ、防犯上重要な屋内の防犯センサの異常感知があったときには、住人や近隣の人に警戒モードさせることのできる住宅用防犯システムを提供する。【解決手段】第１の防犯センサ２Ａと、警報装置２とを屋外に設置し、かつ第２の防犯センサ２Ｂと、防犯受信機１とを屋内に設置して構成された住宅用防犯システムであって、防犯受信機１は、第１の防犯センサ２Ａから異常信号を受信したときには、警報装置３を作動して、威嚇を目的とした第１の警報を出力させる一方、第２の防犯センサ２Ｂから異常信号を受信したときには、警報装置３を作動して、異常報知を目的とした、第１の警報よりも注意喚起力が大きい第２の警報を出力させる構成にしている。【選択図】図１
2007233679.tif 000002
【特許請求の範囲】
【請求項１】
第１の防犯センサと、警報装置とを屋外に設置し、かつ第２の防犯センサと、防犯受信機とを屋内に設置して構成された住宅用防犯システムであって、
上記防犯受信機は、
上記第１の防犯センサから異常信号を受信したときには、上記警報装置を作動して、威嚇を目的とした第１の警報を出力させる一方、
上記第２の防犯センサから異常信号を受信したときには、上記警報装置を作動して、異常報知を目的とした、上記第１の警報よりも注意喚起力が大きい第２の警報を出力させる構成にしている住宅用防犯システム。
【請求項２】
請求項１において、
上記防犯受信機は、上記第１の警報として、上記警報装置に光のみの点灯あるいは点滅を出力させる構成としている、住宅用防犯システム。
【請求項３】
請求項１において、
上記防犯受信機は、上記第２の警報として、上記第１の警報よりも、音レベルを大きくする構成としている、住宅用防犯システム。
【請求項４】
請求項１において、
上記防犯受信機は、上記第２の警報として、上記第１の警報よりも、長い時間出力させる構成としている、住宅用防犯システム。
【請求項５】
請求項１〜４のいずれかにおいて、
上記警報装置は、上記第１の防犯センサと一体的に構成されている、住宅用防犯システム。
【請求項６】
請求項１〜５のいずれかにおいて、
上記防犯受信機は、上記第１の防犯センサから異常信号を受信したときには報知音を鳴動し、上記第２の防犯センサから異常信号を受信したときには、上記報知音よりも音レベルの大きな警報音を鳴動する構成としている、住宅用防犯システム。
【請求項７】
請求項１〜４のいずれか、又は請求項６に記載の防犯受信機と、上記第１、第２の防犯センサとをワイヤレス接続して構成された住宅用防犯システム。
【発明の詳細な説明】
【技術分野】
【０００１】
本発明は、第１の防犯センサと、警報装置とを屋外に設置し、かつ第２の防犯センサと、防犯受信機とを屋内に設置して構成された住宅用防犯システムに関する。
【背景技術】
【０００２】
近時、一般住宅などにおいて、監視対象となる複数の防犯センサと、防犯受信機とを組み合わせて構成した住宅用防犯システムが使用されている（特許文献１）。
【０００３】
この種の住宅用防犯システムでは、防犯受信機が警戒モードに設定されているときに、防犯センサが異常を感知すると、異常信号が防犯受信機に送信されて、防犯受信機では、警報表示をするとともに警報音を鳴動する。
【特許文献１】特開２００５−３３８９２０号公報
【発明の開示】
【発明が解決しようとする課題】
【０００４】
ところで、上記した従来の住宅用防犯システムでは、防犯上重要で、異常があれば警察に通報するなどの警戒モードが必要な監視エリア（屋内）の防犯センサと、屋内より重要度が少なく、異常があれば威嚇と住人への注意喚起をすればよい監視エリア（屋外）の防犯センサのいずれが異常を感知したかにかかわらず、注意喚起力の大きな警報音を鳴動する。
そのため、屋外での異常発生があり、威嚇と住人への注意喚起をすればよいだけであるのに、防犯受信機より警報音が鳴動してしまい、住人や近隣の人を無用に警戒モードさせてしまう。
【０００５】
また、道路に面した庭や門扉周辺に防犯センサを設置した場合、道路を往来する人が防犯センサの感知エリアに入ってしまうと、防犯受信機より誤って警報音が鳴動され、住人や近隣の人を無用に警戒モードさせてしまう。
【０００６】
そこで、本発明は、防犯上比較的重要でない屋外の防犯センサの異常感知があったときには威嚇ができ、防犯上重要な屋内の防犯センサの異常感知があったときには、住人や近隣の人に警戒モードさせることのできる住宅用防犯システムを提供することを目的とする。
【課題を解決するための手段】
【０００７】
上記目的を達成するため、請求項１では、第１の防犯センサと、警報装置とを屋外に設置し、かつ第２の防犯センサと、防犯受信機とを屋内に設置して構成された住宅用防犯システムであって、防犯受信機は、第１の防犯センサから異常信号を受信したときには、警報装置を作動して、威嚇を目的とした第１の警報を出力させる一方、第２の防犯センサから異常信号を受信したときには、異常報知を目的とした、第１の警報よりも注意喚起力が大きい第２の警報を出力させる構成にしている。
【０００８】
請求項２では、防犯受信機は、第１の警報として、警報装置に光のみの点灯あるいは点滅を出力させる構成としている。
【０００９】
請求項３では、防犯受信機は、第２の警報として、第１の警報よりも、音レベルを大きく出力する構成としている。
【００１０】
請求項４では、防犯受信機は、第２の警報として、第１の警報よりも、長い時間出力させる構成としている。
【００１１】
請求項５では、警報装置は、第１の防犯センサと一体的に構成されている。
【００１２】
請求項６では、防犯受信機は、第１の防犯センサから異常信号を受信したときには報知音を鳴動し、第２の防犯センサから異常信号を受信したときには、報知音よりも音レベルの大きな警報音を鳴動する構成としている。
【００１３】
請求項７では、請求項１〜４のいずれか、又は請求項６に記載の防犯受信機と、第１、第２の防犯センサとをワイヤレス接続して構成されている。
【発明の効果】
【００１４】
本発明の請求項１によれば、屋外に設置した第１の防犯センサから異常信号を受信したときには威嚇を目的とした第１の警報を警報装置から出力させるので、住人や近隣の人に対して不要な警戒モードをさせずに、不審者を威嚇することができる。
【００１５】
また、屋内に設置した第２の防犯センサから異常信号を受信したときには、第１の警報よりも注意喚起力の大きい第２の警報を警報装置から出力させるので、住人や近隣の人に対して警戒モードをさせることができる。
【００１６】
請求項２によれば、第１の警報として、警報装置に光のみの点灯あるいは点滅を出力させるので、近隣住戸が寝ている場合にも妨害して起こすことなく、不審者を威嚇できる。
【００１７】
請求項３によれば、第２の警報は、第１の警報よりも音レベルが大きいので、住人が屋外、屋内の異常検知を聞き分けることができる。
【００１８】
請求項４によれば、第２の警報として第１の警報よりも長い時間出力させるので、住人が屋外、屋内の異常検知を聞き分けることができる。
【００１９】
請求項５によれば、警報装置は、第１の防犯センサと一体的に構成されているので、警報装置と第１の防犯センサとを屋外に設置しやすい。
【００２０】
請求項６によれば、防犯受信機は、第１の防犯センサから異常信号を受信したときには報知音を、第２の防犯センサから異常信号を受信したときには、報知音よりも音レベルの大きな警報音を鳴動するので、住人が屋外、屋内の異常検知を聞き分けることができる。
【００２１】
請求項７によれば、請求項１〜４、または請求項６の効果を発揮するワイヤレス防犯システムを提供できる。
【発明を実施するための最良の形態】
【００２２】
以下に、本発明の実施の形態について説明する。
【実施例１】
【００２３】
図１は、本発明の住宅用防犯システムの概略基本構成を示すブロック図である。なお、ここでは、防犯受信機１と防犯センサ２Ａ，２Ｂとの間、防犯受信機１と警報装置３とをワイヤレス接続しているが、信号線で接続してもよい。
【００２４】
この防犯システムは、防犯受信機１と、個別の識別コードが予め登録され、その識別コードを付加した異常信号を送信する防犯センサ２Ａ，２Ｂと、ＬＥＤ３０とスピーカ３１とを有する警報装置３とを組み合わせて構成されている。
【００２５】
防犯センサ２Ａと警報装置３は屋外に、防犯センサ２Ｂは屋内に設置され、防犯センサ２Ａ，２Ｂと警報装置３は、防犯受信機１との間で、各々の識別コードを付加した信号の送受をするようにしている。
【００２６】
なお、屋外の防犯センサ２Ａと警報装置３は、一体的に構成されていてもよい。
【００２７】
防犯受信機１は、操作押釦部１５の選択操作によって、警戒モード（報知）に設定、あるいは、警戒（報知）解除モードに設定できるようにしている。
【００２８】
警戒モードに設定されている場合には、屋外の防犯センサ２Ａから異常信号を受信したときには、報知音を出力し、監視エリア（屋外）と防犯センサ２Ａの種別とを表示するとともに、警報装置３より不審者への威嚇を目的とした第１の警報を出力させる。
【００２９】
一方、屋内の防犯センサ２Ｂから異常信号を受信したときには、警報音を出力し、監視エリア（屋内）と防犯センサ２Ｂの種別とを表示するとともに、警報装置３より住人や近隣の人への異常報知を目的とした第２の警報を出力させる。
【００３０】
また、報知モードに設定されている場合には、防犯センサ２Ａ，２Ｂから異常信号を受信したときには、報知音を出力し、監視エリア（屋外、屋内）と防犯センサ２Ａ，２Ｂの種別とを表示する。
【００３１】
監視エリアと防犯センサ２Ａ，２Ｂの種別を表示しているときに、図示しない確認釦を操作すれば、異常を感知した監視エリアと防犯センサ２Ａ，２Ｂについての詳細情報を音声出力する。
【００３２】
更に、警戒（報知）解除モードに設定されている場合には、防犯センサ２Ａ，２Ｂから異常信号を受信してもその受信を無効とする。
【００３３】
防犯受信機１は、マイコン等で構成される制御部１０、防犯センサ２Ａ、２Ｂの識別コード、防犯センサ番号、監視エリアの識別コードを少なくとも登録した識別コード記憶手段１１、スピーカＳＰより鳴動すべき音声（異常を検知した監視エリア、防犯センサ３についての詳細情報など）を合成する音声合成部１２、アンテナＡＮＴを通じて、防犯センサ２Ａ，２Ｂとの間で信号の送受状態を問い合わせるための問い合わせ信号や、警報装置３に報知指示信号、警報指示信号、報知停止指示信号、警報停止指示信号を送信するための送信部１３、防犯センサ２Ａ，２Ｂからの異常信号や、防犯センサ２Ａ，２Ｂ、警報装置３から、信号送受状態の問い合わせに対する返信信号をするための受信部１４、各種操作釦で構成される操作釦部１５、防犯センサ２Ａ，２Ｂ毎にＬＥＤなどの発光手段を備え、その発光によって、異常のあった監視エリアと防犯センサ２Ａ，２Ｂの種別とを表示する警報表示部１６、ＡＣ１００Ｖ電源によって駆動電源を生成する電源部１７を備えている。
【００３４】
制御部１０は、防犯センサ２Ａ，２Ｂの監視エリア、種別を判定するための判別制御手段１０Ａ、警戒（報知）モード設定、警戒（報知）モード解除設定を行う警戒（報知）セット／解除手段１０Ｂを備えている。
【００３５】
また、制御部１０は、警戒モード（報知モード）が設定されているときに防犯センサ２Ａ，２Ｂから異常信号を受信した際に鳴動すべき警報音（報知音）を切り換える鳴動音切換手段１０Ｃ、図示しない通信ネットワークとの間の通信を制御するとともに、送信部１３、受信部１４を制御するための通信制御手段１０Ｄ、防犯センサ２Ａ，２Ｂや警報装置３から信号を受信したときに、信号に付加された識別コードを照合する識別コード照合手段１０Ｅを備えている。
【００３６】
識別コード記憶手段１１は、防犯センサ識別テーブルＴを備えている。
【００３７】
図２は、防犯センサ識別テーブルＴの構成の一例を示す図である。
【００３８】
防犯センサ識別テーブルＴでは、防犯センサ２Ａ，２Ｂの識別コード毎に、防犯センサ番号、監視エリアが対応して登録できるようになっている。
【００３９】
防犯受信機１では、防犯センサ２Ａ，２Ｂから、識別コードを付加した異常信号を受信したときには、付加された識別コードが防犯センサ識別テーブルＴに登録されているかを識別コード照合手段１０Ｅによって照合した後、監視エリア、防犯センサ番号を判別制御手段１０Ａによって判別する。
【００４０】
図３は、防犯センサ、警報装置の内部構成の一例を示すブロック図であり、図３（ａ）は防犯センサ２Ａを一体的に構成した警報装置を示し、図３（ｂ）は屋内の防犯センサ２Ｂを示している。
【００４１】
防犯センサ一体型警報装置３Ａは、ＬＥＤ３０、スピーカ３１の他に、この警報装置３Ａを制御する制御部３２、防犯受信機１に、アンテナＡＮＴを通じて、状態問い合わせに対する返信信号や異常信号を送信するための送信部３３、防犯受信機１からアンテナＡＮＴを通じて各種制御信号を受信するための受信部３４、報知音または警報音を生成する音声合成部３５、センサー部３６を備えている。
【００４２】
一方の防犯センサ２Ａは、防犯センサ２Ａを制御する制御部２０、アンテナＡＮＴを通じて異常信号を送信するための送信部２１、センサー部２２を備えている。
【００４３】
図４は、防犯受信機１の基本動作の一例を示すフローチャートである（１００〜１１３）。
【００４４】
防犯受信機１は、識別コードが付加された異常信号を受信したときには、付加された識別コードが登録済みか否かを照合し、登録済みであれば、監視エリアと防犯センサ番号とを特定する。
【００４５】
監視エリアが屋外の場合には、報知音を鳴動させ、監視エリアと防犯センサ２Ａ、２Ｂの種別を表示し、警報装置３に報知指示信号を送信し、所定時間が経過したときには、警報装置３に報知停止指示信号を送信する。
【００４６】
一方、監視エリアが屋内の場合には、警報音を鳴動させ、監視エリアと防犯センサ２Ａ，２Ｂの種別を表示し、警報装置３に警報指示信号を送信し、所定時間が経過したときには、警報装置３に警報停止指示信号を送信する。
【００４７】
ここに、報知指示信号を送信してから報知停止指示信号を送信するまでの時間（Ｔ１）は、警報装置３からの第１の警報出力時間であり、警報指示信号を送信してから警報停止指示信号を送信するまでの時間（Ｔ２）は、警報装置３からの第２の警報出力時間である。
【００４８】
そのため、時間Ｔ２を時間Ｔ１より長く設定すれば、警報装置３における第２の警報出力時間を第１の警報出力時間よりも長くすることができ、住人や近隣の人が屋外、屋内の異常検知を聞き分けることができる。
【００４９】
報知音は、住人に注意を喚起できる音であればよく、例えば、音量を小さく、「ポロロン」といったものであればよい。
【００５０】
一方、警報音は、住人または近隣の人に警戒モードさせることのできる音であればよく、音量を大きく、「ピーポーピーポー防犯警報発生」といったものであればよい。
【００５１】
監視エリア、防犯センサ２Ａ，２Ｂの表示と、警報（報知）音の鳴動は、ユーザの所定の解除操作によって停止する。
【００５２】
なお、防犯センサ２Ａ，２Ｂからの異常信号ではなく他の信号を受信した場合にはその信号で規定された動作を行う。例えば、図示しない防犯押釦からの異常信号を受信した場合には、所定の警報を出力する。
【００５３】
図５は、警報装置３の基本動作の一例を示すフローチャートである（２００〜２０８）。
【００５４】
警報装置３は、防犯受信機１から報知指示信号を受信したときには、付加された識別コードが登録済みか否かを判定し、登録済みであれば、第１の警報として、報知音を鳴動し、ＬＥＤ３０より点灯あるいは点滅を出力する。
【００５５】
所定時間が経過すれば、報知音の鳴動と、ＬＥＤ３０からの点灯あるいは点滅の出力を停止する。
【００５６】
なお、第１の警報としてＬＥＤ３０より点灯あるいは点滅のみ出力するようにしてもよい。
【００５７】
一方、防犯受信機１から警報指示信号を受信したときには、付加された識別コードが登録済みか否かを判定し、登録済みでれば、第２の警報として、警報音を鳴動し、ＬＥＤ３０より点灯あるいは点滅を出力する。
【００５８】
所定時間が経過すれば、警報音の鳴動と、ＬＥＤ３０からの点灯あるいは点滅の出力を停止する。
【００５９】
ここで、第２の警報は、第１の警報よりも音レベルを大きくしたり、出力時間を長くすれば、住人や近隣の人が、屋外、屋内の異常を聞き分けることができる。
【００６０】
なお、防犯受信機１からの報知（警報）指示信号、報知（警報）停止指示信号以外の他の信号を受信した場合には、その信号で規定された動作を行う。例えば、防犯受信機１からの状態問い合わせ信号を受信した場合には、警報装置３の状態を付加した返信信号を送信する。
【００６１】
なお、防犯受信機１、警報装置３は、このような動作をするだけには限られず、屋外の防犯センサ２Ａが異常信号を出力したときには防犯受信機１自身では、表示灯の点滅のみ出力させてもよい。
【００６２】
また、防犯受信機１、警報装置３から、報知音、警報音を出力した後、確認ボタンなどの操作によりこれらの出力が停止されるようにしてもよい。
【図面の簡単な説明】
【００６３】
【図１】本発明の住宅用防犯システムの概略基本構成を示す系統図
【図２】防犯センサ識別テーブルの構成の一例を示す図
【図３】防犯センサ一体型警報装置、防犯センサの内部構成の一例を示す図
【図４】防犯受信機の基本動作の一例を示すフローチャート
【図５】警報装置の基本動作の一例を示すフローチャート
【符号の説明】
【００６４】
１  防犯受信機
２Ａ，２Ｂ  防犯センサ
３  警報装置
【図１】
2007233679.tif 000003
【図２】
2007233679.tif 000004
【図３】
2007233679.tif 000005
【図４】
2007233679.tif 000006
【図５】
2007233679.tif 000007
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
防犯センサと、警報装置とを屋外に設置し、かつ上記防犯センサと、防犯受信機とを屋内に設置して構成された住宅用防犯システムであって、
上記防犯受信機は、
上記防犯センサの識別コード毎に、少なくとも監視エリアを登録できる防犯センサ識別テーブルを備えており、この防犯センサ識別テーブルには、上記防犯センサの識別コードに対応させて、上記監視エリアとして、少なくとも、屋外、屋内のいずれかを登録させており、
上記防犯センサから異常信号を受信したときには、その防犯センサの監視エリアを上記防犯センサ識別テーブルを参照して判別し、屋外の防犯センサから異常信号を受信したときには、上記警報装置を作動して、威嚇を目的とした第１の警報を出力させる一方、
屋内の防犯センサから異常信号を受信したときには、上記警報装置を作動して、異常報知を目的とした、上記第１の警報よりも注意喚起力が大きい第２の警報を出力させる構成にしている住宅用防犯システム。
【請求項２】
請求項１において、
上記防犯受信機は、上記第１の警報として、上記警報装置に光のみの点灯あるいは点滅を出力させる構成としている、住宅用防犯システム。
【請求項３】
請求項１において、
上記防犯受信機は、上記第２の警報として、上記第１の警報よりも、音レベルを大きくする構成としている、住宅用防犯システム。
【請求項４】
請求項１において、
上記防犯受信機は、上記第２の警報として、上記第１の警報よりも、長い時間出力させる構成としている、住宅用防犯システム。
【請求項５】
請求項１〜４のいずれかにおいて、
上記警報装置は、上記屋外の防犯センサと一体的に構成されている、住宅用防犯システム。
【請求項６】
請求項１〜５のいずれかにおいて、
上記防犯受信機は、上記屋外の防犯センサから異常信号を受信したときには報知音を鳴動し、上記屋内の防犯センサから異常信号を受信したときには、上記報知音よりも音レベルの大きな警報音を鳴動する構成としている、住宅用防犯システム。
【請求項７】
請求項１〜４のいずれか、又は請求項６に記載の防犯受信機と、上記防犯センサとをワイヤレス接続して構成された住宅用防犯システム。
【手続補正２】
【補正対象書類名】明細書
【補正対象項目名】全文
【補正方法】変更
【補正の内容】
【発明の詳細な説明】
【技術分野】
【０００１】
本発明は、防犯センサと、警報装置とを屋外に設置し、かつ防犯センサと、防犯受信機とを屋内に設置して構成された住宅用防犯システムに関する。
【背景技術】
【０００２】
近時、一般住宅などにおいて、監視対象となる複数の防犯センサと、防犯受信機とを組み合わせて構成した住宅用防犯システムが使用されている（特許文献１）。
【０００３】
この種の住宅用防犯システムでは、防犯受信機が警戒モードに設定されているときに、防犯センサが異常を感知すると、異常信号が防犯受信機に送信されて、防犯受信機では、警報表示をするとともに警報音を鳴動する。
【特許文献１】特開２００５−３３８９２０号公報
【発明の開示】
【発明が解決しようとする課題】
【０００４】
ところで、上記した従来の住宅用防犯システムでは、防犯上重要で、異常があれば警察に通報するなどの警戒モードが必要な監視エリア（屋内）の防犯センサと、屋内より重要度が少なく、異常があれば威嚇と住人への注意喚起をすればよい監視エリア（屋外）の防犯センサのいずれが異常を感知したかにかかわらず、注意喚起力の大きな警報音を鳴動する。
そのため、屋外での異常発生があり、威嚇と住人への注意喚起をすればよいだけであるのに、防犯受信機より警報音が鳴動してしまい、住人や近隣の人を無用に警戒モードさせてしまう。
【０００５】
また、道路に面した庭や門扉周辺に防犯センサを設置した場合、道路を往来する人が防犯センサの感知エリアに入ってしまうと、防犯受信機より誤って警報音が鳴動され、住人や近隣の人を無用に警戒モードさせてしまう。
【０００６】
そこで、本発明は、防犯上比較的重要でない屋外の防犯センサの異常感知があったときには威嚇ができ、防犯上重要な屋内の防犯センサの異常感知があったときには、住人や近隣の人に警戒モードさせることのできる住宅用防犯システムを提供することを目的とする。
【課題を解決するための手段】
【０００７】
上記目的を達成するため、請求項１では、防犯センサと、警報装置とを屋外に設置し、かつ上記防犯センサと、防犯受信機とを屋内に設置して構成された住宅用防犯システムであって、上記防犯受信機は、上記防犯センサの識別コード毎に、少なくとも監視エリアを登録できる防犯センサ識別テーブルを備えており、この防犯センサ識別テーブルには、上記防犯センサの識別コードに対応させて、上記監視エリアとして、少なくとも、屋外、屋内のいずれかを登録させており、上記防犯センサから異常信号を受信したときには、その防犯センサの監視エリアを上記防犯センサ識別テーブルを参照して判別し、屋外の防犯センサから異常信号を受信したときには、上記警報装置を作動して、威嚇を目的とした第１の警報を出力させる一方、屋内の防犯センサから異常信号を受信したときには、上記警報装置を作動して、異常報知を目的とした、上記第１の警報よりも注意喚起力が大きい第２の警報を出力させる構成にしている。
【０００８】
請求項２では、防犯受信機は、第１の警報として、警報装置に光のみの点灯あるいは点滅を出力させる構成としている。
【０００９】
請求項３では、防犯受信機は、第２の警報として、第１の警報よりも、音レベルを大きく出力する構成としている。
【００１０】
請求項４では、防犯受信機は、第２の警報として、第１の警報よりも、長い時間出力させる構成としている。
【００１１】
請求項５では、警報装置は、屋外の防犯センサと一体的に構成されている。
【００１２】
請求項６では、防犯受信機は、屋外の防犯センサから異常信号を受信したときには報知音を鳴動し、屋内の防犯センサから異常信号を受信したときには、報知音よりも音レベルの大きな警報音を鳴動する構成としている。
【００１３】
請求項７では、請求項１〜４のいずれか、又は請求項６に記載の防犯受信機と、防犯センサとをワイヤレス接続して構成されている。
【発明の効果】
【００１４】
本発明の請求項１によれば、屋外の防犯センサから異常信号を受信したときには威嚇を目的とした第１の警報を警報装置から出力させるので、住人や近隣の人に対して不要な警戒モードをさせずに、不審者を威嚇することができる。
【００１５】
また、屋内の防犯センサから異常信号を受信したときには、第１の警報よりも注意喚起力の大きい第２の警報を警報装置から出力させるので、住人や近隣の人に対して警戒モードをさせることができる。
【００１６】
請求項２によれば、第１の警報として、警報装置に光のみの点灯あるいは点滅を出力させるので、近隣住戸が寝ている場合にも妨害して起こすことなく、不審者を威嚇できる。
【００１７】
請求項３によれば、第２の警報は、第１の警報よりも音レベルが大きいので、住人が屋外、屋内の異常検知を聞き分けることができる。
【００１８】
請求項４によれば、第２の警報として第１の警報よりも長い時間出力させるので、住人が屋外、屋内の異常検知を聞き分けることができる。
【００１９】
請求項５によれば、警報装置は、屋外の防犯センサと一体的に構成されているので、警報装置と屋外の防犯センサとを屋外に設置しやすい。
【００２０】
請求項６によれば、防犯受信機は、屋外の防犯センサから異常信号を受信したときには報知音を、屋内の防犯センサから異常信号を受信したときには、報知音よりも音レベルの大きな警報音を鳴動するので、住人が屋外、屋内の異常検知を聞き分けることができる。
【００２１】
請求項７によれば、請求項１〜４、または請求項６の効果を発揮するワイヤレス防犯システムを提供できる。
【発明を実施するための最良の形態】
【００２２】
以下に、本発明の実施の形態について説明する。
【実施例１】
【００２３】
図１は、本発明の住宅用防犯システムの概略基本構成を示すブロック図である。なお、ここでは、防犯受信機１と防犯センサ２Ａ，２Ｂとの間、防犯受信機１と警報装置３とをワイヤレス接続しているが、信号線で接続してもよい。
【００２４】
この防犯システムは、防犯受信機１と、個別の識別コードが予め登録され、その識別コードを付加した異常信号を送信する防犯センサ２Ａ，２Ｂと、ＬＥＤ３０とスピーカ３１とを有する警報装置３とを組み合わせて構成されている。
【００２５】
防犯センサ２Ａと警報装置３は屋外に、防犯センサ２Ｂは屋内に設置され、防犯センサ２Ａ，２Ｂと警報装置３は、防犯受信機１との間で、各々の識別コードを付加した信号の送受をするようにしている。
【００２６】
なお、屋外の防犯センサ２Ａと警報装置３は、一体的に構成されていてもよい。
【００２７】
防犯受信機１は、操作押釦部１５の選択操作によって、警戒モード（報知）に設定、あるいは、警戒（報知）解除モードに設定できるようにしている。
【００２８】
警戒モードに設定されている場合には、屋外の防犯センサ２Ａから異常信号を受信したときには、報知音を出力し、監視エリア（屋外）と防犯センサ２Ａの種別とを表示するとともに、警報装置３より不審者への威嚇を目的とした第１の警報を出力させる。
【００２９】
一方、屋内の防犯センサ２Ｂから異常信号を受信したときには、警報音を出力し、監視エリア（屋内）と防犯センサ２Ｂの種別とを表示するとともに、警報装置３より住人や近隣の人への異常報知を目的とした第２の警報を出力させる。
【００３０】
また、報知モードに設定されている場合には、防犯センサ２Ａ，２Ｂから異常信号を受信したときには、報知音を出力し、監視エリア（屋外、屋内）と防犯センサ２Ａ，２Ｂの種別とを表示する。
【００３１】
監視エリアと防犯センサ２Ａ，２Ｂの種別を表示しているときに、図示しない確認釦を操作すれば、異常を感知した監視エリアと防犯センサ２Ａ，２Ｂについての詳細情報を音声出力する。
【００３２】
更に、警戒（報知）解除モードに設定されている場合には、防犯センサ２Ａ，２Ｂから異常信号を受信してもその受信を無効とする。
【００３３】
防犯受信機１は、マイコン等で構成される制御部１０、防犯センサ２Ａ、２Ｂの識別コード、防犯センサ番号、監視エリアの識別コードを少なくとも登録した識別コード記憶手段１１、スピーカＳＰより鳴動すべき音声（異常を検知した監視エリア、防犯センサ３についての詳細情報など）を合成する音声合成部１２、アンテナＡＮＴを通じて、防犯センサ２Ａ，２Ｂとの間で信号の送受状態を問い合わせるための問い合わせ信号や、警報装置３に報知指示信号、警報指示信号、報知停止指示信号、警報停止指示信号を送信するための送信部１３、防犯センサ２Ａ，２Ｂからの異常信号や、防犯センサ２Ａ，２Ｂ、警報装置３から、信号送受状態の問い合わせに対する返信信号をするための受信部１４、各種操作釦で構成される操作釦部１５、防犯センサ２Ａ，２Ｂ毎にＬＥＤなどの発光手段を備え、その発光によって、異常のあった監視エリアと防犯センサ２Ａ，２Ｂの種別とを表示する警報表示部１６、ＡＣ１００Ｖ電源によって駆動電源を生成する電源部１７を備えている。
【００３４】
制御部１０は、防犯センサ２Ａ，２Ｂの監視エリア、種別を判定するための判別制御手段１０Ａ、警戒（報知）モード設定、警戒（報知）モード解除設定を行う警戒（報知）セット／解除手段１０Ｂを備えている。
【００３５】
また、制御部１０は、警戒モード（報知モード）が設定されているときに防犯センサ２Ａ，２Ｂから異常信号を受信した際に鳴動すべき警報音（報知音）を切り換える鳴動音切換手段１０Ｃ、図示しない通信ネットワークとの間の通信を制御するとともに、送信部１３、受信部１４を制御するための通信制御手段１０Ｄ、防犯センサ２Ａ，２Ｂや警報装置３から信号を受信したときに、信号に付加された識別コードを照合する識別コード照合手段１０Ｅを備えている。
【００３６】
識別コード記憶手段１１は、防犯センサ識別テーブルＴを備えている。
【００３７】
図２は、防犯センサ識別テーブルＴの構成の一例を示す図である。
【００３８】
防犯センサ識別テーブルＴでは、防犯センサ２Ａ，２Ｂの識別コード毎に、防犯センサ番号、監視エリアが対応して登録できるようになっている。
【００３９】
防犯受信機１では、防犯センサ２Ａ，２Ｂから、識別コードを付加した異常信号を受信したときには、付加された識別コードが防犯センサ識別テーブルＴに登録されているかを識別コード照合手段１０Ｅによって照合した後、監視エリア、防犯センサ番号を判別制御手段１０Ａによって判別する。
【００４０】
図３は、防犯センサ、警報装置の内部構成の一例を示すブロック図であり、図３（ａ）は屋内の防犯センサ２Ｂを示し、図３（ｂ）は防犯センサ２Ａを一体的に構成した警報装置３Ａを示している。
【００４１】
防犯センサ一体型警報装置３Ａは、ＬＥＤ３０、スピーカ３１の他に、この警報装置３Ａを制御する制御部３２、防犯受信機１に、アンテナＡＮＴを通じて、状態問い合わせに対する返信信号や異常信号を送信するための送信部３３、防犯受信機１からアンテナＡＮＴを通じて各種制御信号を受信するための受信部３４、報知音または警報音を生成する音声合成部３５、センサー部３６を備えている。
【００４２】
一方の防犯センサ２Ｂは、防犯センサ２Ｂを制御する制御部２０、アンテナＡＮＴを通じて異常信号を送信するための送信部２１、センサー部２２を備えている。
【００４３】
図４は、防犯受信機１の基本動作の一例を示すフローチャートである（１００〜１１３）。
【００４４】
防犯受信機１は、識別コードが付加された異常信号を受信したときには、付加された識別コードが登録済みか否かを照合し、登録済みであれば、監視エリアと防犯センサ番号とを特定する。
【００４５】
監視エリアが屋外の場合には、報知音を鳴動させ、監視エリアと防犯センサ２Ａ、２Ｂの種別を表示し、警報装置３に報知指示信号を送信し、所定時間が経過したときには、警報装置３に報知停止指示信号を送信する。
【００４６】
一方、監視エリアが屋内の場合には、警報音を鳴動させ、監視エリアと防犯センサ２Ａ，２Ｂの種別を表示し、警報装置３に警報指示信号を送信し、所定時間が経過したときには、警報装置３に警報停止指示信号を送信する。
【００４７】
ここに、報知指示信号を送信してから報知停止指示信号を送信するまでの時間（Ｔ１）は、警報装置３からの第１の警報出力時間であり、警報指示信号を送信してから警報停止指示信号を送信するまでの時間（Ｔ２）は、警報装置３からの第２の警報出力時間である。
【００４８】
そのため、時間Ｔ２を時間Ｔ１より長く設定すれば、警報装置３における第２の警報出力時間を第１の警報出力時間よりも長くすることができ、住人や近隣の人が屋外、屋内の異常検知を聞き分けることができる。
【００４９】
報知音は、住人に注意を喚起できる音であればよく、例えば、音量を小さく、「ポロロン」といったものであればよい。
【００５０】
一方、警報音は、住人または近隣の人に警戒モードさせることのできる音であればよく、音量を大きく、「ピーポーピーポー防犯警報発生」といったものであればよい。
【００５１】
監視エリア、防犯センサ２Ａ，２Ｂの表示と、警報（報知）音の鳴動は、ユーザの所定の解除操作によって停止する。
【００５２】
なお、防犯センサ２Ａ，２Ｂからの異常信号ではなく他の信号を受信した場合にはその信号で規定された動作を行う。例えば、図示しない防犯押釦からの異常信号を受信した場合には、所定の警報を出力する。
【００５３】
図５は、警報装置３の基本動作の一例を示すフローチャートである（２００〜２０８）。
【００５４】
警報装置３は、防犯受信機１から報知指示信号を受信したときには、付加された識別コードが登録済みか否かを判定し、登録済みであれば、第１の警報として、報知音を鳴動し、ＬＥＤ３０より点灯あるいは点滅を出力する。
【００５５】
所定時間が経過すれば、報知音の鳴動と、ＬＥＤ３０からの点灯あるいは点滅の出力を停止する。
【００５６】
なお、第１の警報としてＬＥＤ３０より点灯あるいは点滅のみ出力するようにしてもよい。
【００５７】
一方、防犯受信機１から警報指示信号を受信したときには、付加された識別コードが登録済みか否かを判定し、登録済みでれば、第２の警報として、警報音を鳴動し、ＬＥＤ３０より点灯あるいは点滅を出力する。
【００５８】
所定時間が経過すれば、警報音の鳴動と、ＬＥＤ３０からの点灯あるいは点滅の出力を停止する。
【００５９】
ここで、第２の警報は、第１の警報よりも音レベルを大きくしたり、出力時間を長くすれば、住人や近隣の人が、屋外、屋内の異常を聞き分けることができる。
【００６０】
なお、防犯受信機１からの報知（警報）指示信号、報知（警報）停止指示信号以外の他の信号を受信した場合には、その信号で規定された動作を行う。例えば、防犯受信機１からの状態問い合わせ信号を受信した場合には、警報装置３の状態を付加した返信信号を送信する。
【００６１】
なお、防犯受信機１、警報装置３は、このような動作をするだけには限られず、屋外の防犯センサ２Ａが異常信号を出力したときには防犯受信機１自身では、表示灯の点滅のみ出力させてもよい。
【００６２】
また、防犯受信機１、警報装置３から、報知音、警報音を出力した後、確認ボタンなどの操作によりこれらの出力が停止されるようにしてもよい。
【図面の簡単な説明】
【００６３】
【図１】本発明の住宅用防犯システムの概略基本構成を示す系統図
【図２】防犯センサ識別テーブルの構成の一例を示す図
【図３】防犯センサ一体型警報装置、防犯センサの内部構成の一例を示す図
【図４】防犯受信機の基本動作の一例を示すフローチャート
【図５】警報装置の基本動作の一例を示すフローチャート
【符号の説明】
【００６４】
１  防犯受信機
２Ａ，２Ｂ  防犯センサ
３  警報装置